(57)【要約】要約課題  簡易な模擬銃にも適し、かつ、安定した弾速、弾道が得られる次弾切り離し装置を提供する。選択  手段弾丸が隣接して装弾部まで供給され、装弾部に達した先端の弾丸に対して、トリガー操作によってストライカーが前進し、上記弾丸を発射させる構成を備えた模擬銃において、ストライカー１５の後退時にストライカー移動路に突出し、ストライカーの前進時にストライカーに押されてストライカー移動路から脱するとともに、装弾部に達した先端の弾丸とそれ続く次弾とを切り離す、切り離し部材を装弾部の後方に設けたことを特徴とする模擬銃における次弾切り離し装置。選択図          図２
2016203554.tif 000002
【特許請求の範囲】
【請求項１】
弾丸が隣接して装弾部まで供給され、装弾部に達した先端の弾丸に対して、トリガー操作によってストライカーが前進し、上記弾丸を発射させる構成を備えた模擬銃において、
ストライカーの後退時にストライカー移動路に突出し、ストライカーの前進時にストライカーに押されてストライカー移動路から脱するとともに、装弾部に達した先端の弾丸とそれ続く次弾とを切り離す、切り離し部材を装弾部の後方に設けたことを特徴とする
模擬銃における次弾切り離し装置。
【請求項２】
弾丸が隣接して装弾部まで重力供給される供給路を有し、弾丸が滑り落ちる切り離し部材を上記供給路に配置し、上記切り離し部材を回転可能に設けることによって、下部がストライカー移動路に対して出入りするように構成された
請求項１記載の模擬銃における次弾切り離し装置。
【請求項３】
装弾部は供給された弾丸を発射まで保持する弾丸ホルダーを有しており、弾丸と弾丸ホルダーのどちらか一方又は両方が、前進するストライカーに押されて弾丸を通過させるために変形可能な素材によって形成されている
請求項１記載の模擬銃における次弾切り離し装置。
【発明の詳細な説明】
【技術分野】
【０００１】
本発明は、弾丸が隣接して装弾部まで供給され、装弾部に達した先端の弾丸に対してストライカーが前進し、上記弾丸を発射させる構成を備えた模擬銃における次弾切り離し装置に関するものである。
【背景技術】
【０００２】
模擬銃には、俗に銀玉鉄砲と呼ばれる簡易な構造を持ったものがあり、特に、年少者を対象として古くから普及している。それは、俗称からも推測されるように、銀色の球状弾丸をトリガー操作の都度一発ずつ発射するものであるが、最小限の部品で構成されているため、発射される弾丸の勢いが不安定になるという問題があった。【０００３】
その原因の一つは、弾丸が重力供給される構成にあると考えられる。つまり、球状の弾丸は多数連なって、発射位置へ重力で移動して行くため、弾丸同士が接触し、かつ、転がりながら移動するときに摩擦を生じるとともに、発射される弾丸と次弾との間でも同様に接触摩擦が働く。その摩擦力が弾丸の動きを乱し、また、弾丸は銃の傾き等の条件によっても変動するため、発射される弾丸の飛距離や命中精度が大きくばらつく原因となると考えられる。【０００４】
この問題には、使用する弾丸の性質も影響する。銀玉と称する弾丸は直径が７ｍｍほどの石膏製や粘度製のものであるが、現在のいわゆる銀玉鉄砲に多用されている弾丸にはＢＢ弾があり、そのほかに柔軟な素材を用いた軟質弾等がある。上記のどの弾丸を用いても発射される弾丸の状況が不安定であることに変わりはないが、この内、軟質弾を使用すると、特に、摩擦の影響を強く受けることが分かっている。【０００５】
一方、先行技術を調査したところ、弾丸を重力供給する技術について実開昭６４−３８４８８号というガス圧玩具銃に於けるガス噴射弁作動装置の考案が見出された。同考案は引金操作によって銃身を前進させるとともに、後端に連接された接続管の前進によって、弾丸供給口をガス誘導間の前端部に位置させるので、発射される弾丸は次弾と接触していない。しかし、弾丸供給口を移動させるための機構が複雑であり、故障の原因が増し、価格も押し上げられるので、年少者用の簡易な模擬銃には適さない。
【特許文献１】実開昭６４−３８４８８号
【発明の開示】
【発明が解決しようとする課題】
【０００６】
本発明は前記の点に鑑みなされたもので、その課題は、例えば、年少者用の簡易な模擬銃にも適し、かつ、安定した弾速、弾道が得られる次弾切り離し装置を提供することである。また、本発明の他の課題は、弾丸の種類が軟質であるか硬質であるかを問うことなしに安定した弾速、弾道が得られる次弾切り離し装置を提供することである。
【課題を解決するための手段】
【０００７】
前記の課題を解決するため、本発明は、弾丸が隣接して装弾部まで供給され、装弾部に達した先端の弾丸に対して、トリガー操作によってストライカーが前進し、上記弾丸を発射させる構成を備えた模擬銃において、ストライカーの後退時にはストライカー移動路に突出し、ストライカーの前進時にストライカーに押されてストライカー移動路から脱するとともに、装弾部に達した先端の弾丸とそれ続く次弾とを切り離す、切り離し部材を装弾部の後方に設けるという手段を講じたものである。
本発明に係る装置において対象となる弾丸は、前述した、銀玉、ＢＢ弾及び軟質弾のようなあらゆる種類の弾丸である。軟質弾又は軟質弾丸は、指先で押したときに変形する程度に軟質のもので、その形態は銀玉、ＢＢ弾と同じく球状である。【０００８】
本発明に係る模擬銃は、弾丸が隣接して装弾部まで供給され、トリガー操作によって、装弾部に達した先端の弾丸に対してストライカーが前進し、上記弾丸を発射させる構成を備えていることが前提である。弾丸が隣接して装弾部まで供給され、それによって次弾との間に摩擦を生じ、それが発射される弾丸に影響を与えるという課題を、次弾の切り離しによって解決するものである。【０００９】
そのために、本発明は、ストライカーの後退時にはストライカー移動路に突出し、ストライカーの前進時にストライカーに押されてストライカー移動路から脱するとともに、装弾部に達した先端の弾丸とそれ続く次弾とを切り離す切り離し部材を装弾部の後方に設ける。切り離し部材という簡易な手段を装弾部の後方の適切な位置に設けることによって、次弾又はそれ以降の弾丸を先端の弾丸から切り離すことができる。なお、先端の弾丸とは発射される弾丸である。【００１０】
本発明において、弾丸が隣接して装弾部まで重力供給される供給路を有し、弾丸が滑り落ちる切り離し部材を上記供給路に配置し、上記切り離し部材を上部にて軸支し回転可能に設けることによって、下部がストライカー移動路に対して出入りすることは望ましい構成である。弾丸が滑り落ち、隣接して装弾部まで重力供給される構成は、弾丸供給のために特別の機構を必要としない。【００１１】
また、切り離し部材を回転可能として、下部がストライカー移動路に対して出入りする構成も、隣接弾丸の分離のために好ましいものである。従って、弾丸を重力供給する供給路および下部がストライカー移道路に対して出入りする構成はともに、簡易な模擬銃に適している。【００１２】
装弾部が供給された弾丸を発射まで保持する弾丸ホルダーを有しており、弾丸と弾丸ホルダーのどちらか一方又は両方が、前進するストライカーに押されて弾丸を通過させるために変形可能な軟質の素材によって形成されているということも構成の簡易化に寄与している。特に、軟質弾は摩擦の影響を強く受けることから、弾丸ホルダーによる保持と組み合わせることで一石二鳥の利益につながるといえる。
【発明の効果】
【００１３】
本発明は以上のように構成され、かつ、作用するものであるから、切り離し部材によって次弾が切り離されることで、安定した弾速、弾道が得られ、かつ、例えば、年少者用の簡易な模擬銃にも適した次弾切り離し装置を提供することができるという効果を奏する。また、本発明に係る次弾切り離し装置によって、弾丸の種類が軟質であるか硬質であるかを問うことがなくなり、常に安定した弾速、弾道を得ることができる。
【図面の簡単な説明】
【００１４】
【図１】本発明に係る次弾切り離し装置を適用した模擬銃の一例を示す内部の斜視図である。
【図２】同上の模擬銃の構造を示す内面図である。
【図３Ａ】同上装置において、弾丸が隣接して供給されつつある状態を示す説明図であり、切り離し部材はストライカー移動路から脱している。
【図３Ｂ】同上装置において、トリガーが僅かに引かれ、先端の弾丸が装弾部へ落ち始めた状態を示す説明図である。
【図３Ｃ】同上装置において、トリガーが一杯に引かれ、先端の弾丸が装弾部に保持された状態を示す説明図であり、切り離し部材はストライカー移動路に突出している。
【図３Ｄ】同上装置において、トリガーが一杯に引かれた後、ストライカーが前進を開始し、先端の弾丸と次弾が切り離された状態を示す説明図である。
【図３Ｅ】同上装置において、トリガーが一杯に引かれた後、ストライカーが先端の弾丸を打圧した状態を示す説明図である。
【発明を実施するための最良の形態】
【００１５】
以下、図示の実施形態を参照して、本発明をより詳細に説明する。図１は本発明に係る模擬銃における次弾切り離し装置に関するもので、１０は模擬銃、１１は銃腔すなわち発射される弾丸Ｂが通過する空間であり、その内方部分に装弾部１２が設定され、弾丸発射口である銃口１３はその外方に開口する。なお、図２は本発明に係る装置構成を説明するためのもので、弾丸Ｂを装填せずトリガー２２を僅かに引いた状態に相当する。【００１６】
装弾部１２は供給された弾丸Ｂを発射まで保持する弾丸ホルダー１２ａを有している。弾丸ホルダー１２ａは弾丸を一時的に止めるに足りる程度の突条から成り、装弾部１２の左右両側面に設けられている。上記弾丸Ｂと弾丸ホルダー１２ａのどちらか一方又は両方が、前進するストライカー１５に押されて弾丸Ｂを通過させるために変形可能な素材、例えば、ナイロン（登録商標）、ゴム等の素材によって形成されている。【００１７】
従って、一般的なＢＢ弾と同程度の硬質弾丸であっても、後述するストライカー１５によって打圧されたときには、弾丸ホルダー１２ａが弾性変形して通過することができる。また、それ自体が指先で押したときに変形する程度の軟質弾丸の場合にも、上記とほぼ同様に弾丸ホルダー１２ａが弾性変形して通過することができる。【００１８】
上記銃腔１１の後方はストライカー移動路１４となって連続しており、そこに後述するストライカー１５が前進後退可能に設けられている。ストライカー１５は、後退時には給弾口よりも後方の位置に下がり、前進時にはストライカー１５の前端が装弾部１２に達して弾丸Ｂを打圧する。ストライカー移動路１４の上位には、弾丸Ｂが隣接して装弾部１２まで重力供給される供給路１６が位置している。【００１９】
上記供給路１６は、水平部分から成る後側部分と傾斜面から成る前側部分とから構成されている。供給路１６の先端は装弾部１２に弾丸Ｂを落とすための装弾口１７を構成し、その後端には給弾口１８が形成され、その間に所要個数の弾丸Ｂを充填できるように構成されている。供給路１６の前側部分は傾斜面から装弾口１７に向けて滑らかな曲面を経てほぼ垂直に向きを変え（このため、装弾口１７も僅かながら狭められる。）、また、弾丸Ｂが滑り落ちる傾斜面の一部として切り離し部材２０が設けられている。【００２０】
上記切り離し部材２０は後端上部の支軸１９によって回転可能に設けられ、それによって、先端下部がストライカー移動路１４及び供給路１６に対して出入りするように構成されている。切り離し部材２０は、ストライカー１５の後退時に、ストライカー移動路１４の上枠を兼ねる部分に設けられたストッパー２１に係止し、それ以上は開かない。また、ストライカー１５の前進時にはストライカー１５の上面を摺動し、この状態では切り離し部材２０の先端側は供給路１６内に入り込んで装弾口１７を狭め、弾丸Ｂの移動を途中で止めるように構成されている。【００２１】
弾丸発射機構としてトリガー２２が設けられており、トリガー２２はそれと一体のスライド部材２３によって、銃本体側に設けられた前後動部２４を前進後退可能に設けられている。スライド部材２３には係合部材２５が支軸２６の回りに回転可能に取り付けられ、係合部材２５の係合部２７は、ストライカー１５に設けられた係合相手部２８と、後述するように係合可能な関係に置かれている。【００２２】
すなわち、トリガー２２を引く操作によって、係合部２７と係合相手部２８が係合し、ストライカー１５を後退させるとともに、係合部２７の回転により係合相手部２８との係合が外れることでストライカー１５の前進を可能にする関係に設けられている。従って、ストライカー１５は後退時にメインスプリング３０を圧縮し、それによって蓄圧されたばね力で瞬時に前進する。【００２３】
メインスプリング３０の後方バネ受け２９は銃本体側に設けられており、前方バネ受け３１はストライカー１５の後端部に設けられている。前方バネ受け３１は、銃本体内部の構造体３２をストッパーとして前進限界が規定されている。【００２４】
このような構成を有する本発明の模擬銃における次弾切り離し装置では、トリガー２２が引かれていない状態では、ストライカー１５がメインスプリング３０によって付勢されており、最も前進した位置にある。そのため、切り離し部材２０は弾丸供給路１６に入り込み、弾丸Ｂを圧迫するので、弾丸Ｂは列をなした状態で供給路１６の途中に停止する（図３Ａ）。【００２５】
トリガー２２を引くと、メインスプリング３０を圧縮しながらストライカー１５が後退を開始する。また、ストライカー１５によって押し上げられ、供給路１６に入り込んでいた切り離し部材２０が支軸１９周りに回転し、その先端２０ａはストライカー移動路１４に突出する状態になる（図３Ｂ）。このとき、先端の弾丸Ｂが装弾部１２に落ち始める。  【００２６】
さらにトリガー２２を引くと、メインスプリング３０は最大に圧縮されるとともに、支軸２６より上方へ離れた係合部材２５が下方へ移動する。ここで、それまで係合状態にあった係合部２７と係合相手部２８の係合が解除され、かつまた、ストライカー１５の後退によって切り離し部材２０が下がり、その先端２０ａはストライカー移動路１４に最大に突出する（図３Ｃ）。よって、先端の弾丸Ｂが装弾部１２に供給され、弾丸ホルダー１２ａに接して停止する。【００２７】
次の瞬間、最大に圧縮されているメインスプリング３０が解放されるのに伴い、ストライカー１５が急速に前進して切り離し部材２０の先端付近に当たり、切り離し部材２０を押し上げ、その結果、先端の弾丸Ｂと次弾Ｂ’以降の弾丸とが切り離される（図３Ｄ）。なお、装弾口１７も曲面を経てほぼ垂直に向きを変え僅かながら狭められているため、ストライカー１５の前進時により切り離し部材２０の先端２０ａが供給路１６内に入り込む前に、弾丸Ｂの移動は途中で止められる【００２８】
ストライカー１５が最大に前進することによって、その撃力により先端の弾丸Ｂが撃ち出される。次弾Ｂ’以降の弾丸は切り離し部材２０によって後退し、切り離された状態が維持される（図３Ｅ）。また、トリガー２２の操作を止めることで、ストライカー１５はメインスプリング３０によって前進した状態に保たれ、操作前の状態（図３Ａ）に戻る。【００２９】
本発明はこのように構成されているので、先端の弾丸Ｂと次弾Ｂ’と切り離し部材２０によって機械的に分離することができる。従って、発射位置にある先端の弾丸Ｂは次弾Ｂ’の影響を受けることがなく、摩擦による不安定原因を除かれた状態で発射されるので、簡易な模擬銃についても飛距離や命中精度の向上に寄与する。
【符号の説明】
【００３０】
１０  模擬銃
１１  銃腔
１２  装弾部
１３  銃口
１４  ストライカー移動路
１５  ストライカー
１６  供給路
１７  装弾口
１８  給弾口
１９、２６  支軸
２０  切り離し部材
２１  ストッパー
２２  トリガー
２３  スライド部材
２４  前後動部
２５  係合部材
２７  係合部
２８  係合相手部
２９  後方バネ受け
３０  メインスプリング
３１  前方バネ受け
【図１】
2016203554.tif 000003
【図２】
2016203554.tif 000004
【図３Ａ】
2016203554.tif 000005
【図３Ｂ】
2016203554.tif 000006
【図３Ｃ】
2016203554.tif 000007
【図３Ｄ】
2016203554.tif 000008
【図３Ｅ】
2016203554.tif 000009
【国際調査報告】
2016203554.tif 000010
2016203554.tif 000011
2016203554.tif 000012
2016203554.tif 000013